(57)【特許請求の範囲】
【請求項１】
枠体および障子を有して一方の空間と他方の空間とを仕切る建具であって、
前記枠体の上部または前記障子の上部には、前記一方の空間から前記他方の空間に空気を供給可能な換気通路が設けられ、
前記換気通路には、前記枠体または前記障子に斜め方向にスライド移動可能に支持された開閉部材と、前記開閉部材に支持された弁体とを備える開閉機構が設けられ、
前記開閉部材と前記弁体とは、これら双方が前記換気通路の閉鎖位置にそれぞれ位置した際に前記換気通路を閉鎖可能に設けられ、
前記弁体は、前記他方の空間が第一負圧以上になると開放移動する構成とされ、
前記開閉部材は、前記閉鎖位置と前記閉鎖位置よりも上方に位置する前記換気通路の開放位置との間において前記換気通路を開閉可能に斜め方向にスライド移動可能であって、前記他方の空間が前記第一負圧よりも大きな第二負圧以上になると前記スライド移動によって開放移動する構成とされる
ことを特徴とする建具。
【請求項２】
枠体および障子を有して一方の空間と他方の空間とを仕切る建具であって、
前記枠体または前記障子には、前記一方の空間から前記他方の空間に空気を供給可能な換気通路が設けられ、
前記換気通路には、前記枠体または前記障子に支持された開閉部材と、前記開閉部材に支持された弁体とを備える開閉機構が設けられ、
前記開閉部材と前記弁体とは、これら双方が前記換気通路の閉鎖位置にそれぞれ位置した際に前記換気通路を閉鎖可能に設けられ、
前記弁体は、前記他方の空間が第一負圧以上になると開放移動する構成とされ、
前記開閉部材は、開閉部材本体と、前記開閉部材本体の端部に取り付けられた側板とを備え、前記他方の空間が前記第一負圧よりも大きな第二負圧以上になると開放移動する構成とされ、
前記側板は、前記開閉部材が前記換気通路の開放位置に位置した状態では、前記開閉部材本体の端部と前記枠体または前記障子との間に連続して位置する
ことを特徴とする建具。
【請求項３】
請求項１または請求項２に記載の建具において、
前記開閉部材は、自重によって閉鎖移動可能に設けられる
ことを特徴とする建具。
【請求項４】
請求項２または請求項３に記載の建具において、
前記開閉部材は、前記枠体または前記障子に対し回動可能に支持され、この回動によって前記換気通路を開閉可能に構成される
ことを特徴とする建具。
【発明の詳細な説明】
【技術分野】
【０００１】
本発明は、建具に関し、詳しくは、仕切った空間同士を連通させて換気可能な建具に関する。
【背景技術】
【０００２】
従来、建具として、例えば、枠体と、枠体に支持された障子とを備え、枠体のうちの上枠に形成した換気通路を介して浴室を換気可能とした浴室出入り口用の建具が提案されている（特許文献１参照）。
特許文献１に記載された建具では、上枠を外側枠材と内側枠材とで構成し、外側枠材と内側枠材との間に換気通路を形成し、この換気通路を一つの弁体によって開閉することで、浴室の換気が行われるようになっている。
【先行技術文献】
【特許文献】
【０００３】
【特許文献１】特開２００８−１４４４３８号公報
【発明の概要】
【発明が解決しようとする課題】
【０００４】
ところで、特許文献１に記載の建具のように、一つの弁体によって換気通路を開放可能な開口面積には限りがあるため、開口面積を拡大して換気量を増やすことが困難である。
また、広い開口面積を確保するために一つの弁体を大きく形成した場合には、換気側空間の小さな負圧によって開放移動を生じさせにくくなり、この小さな負圧に基づく風量での換気を行い難い。
【０００５】
本発明の目的は、換気通路を広く形成できるうえ、小さな負圧に基づく風量で換気できる建具を提供することにある。
【課題を解決するための手段】
【０００６】
本発明の建具は、枠体および障子を有して一方の空間と他方の空間とを仕切る建具であって、前記枠体の上部または前記障子の上部には、前記一方の空間から前記他方の空間に空気を供給可能な換気通路が設けられ、前記換気通路には、前記枠体または前記障子に斜め方向にスライド移動可能に支持された開閉部材と、前記開閉部材に支持された弁体とを備える開閉機構が設けられ、前記開閉部材と前記弁体とは、これら双方が前記換気通路の閉鎖位置にそれぞれ位置した際に前記換気通路を閉鎖可能に設けられ、前記弁体は、前記他方の空間が第一負圧以上になると開放移動する構成とされ、前記開閉部材は、前記閉鎖位置と前記閉鎖位置よりも上方に位置する前記換気通路の開放位置との間において前記換気通路を開閉可能に斜め方向にスライド移動可能であって、前記他方の空間が前記第一負圧よりも大きな第二負圧以上になると前記スライド移動によって開放移動する構成とされることを特徴とする。
本発明によれば、他方の空間が第一負圧以上になることで、弁体によって換気通路を開放することに加え、他方の空間が第二負圧以上になることで、開閉部材によって換気通路をさらに拡大開放でき、換気通路を広く形成できる。
すなわち、開閉部材および弁体が換気通路を閉鎖した状態で、他方の空間に設けた換気扇などの換気装置を作動させると、一方の空間の圧力に対して他方の空間の圧力が低下して負圧となる。そして、この負圧（圧力差）が第一負圧以上になると、弁体が開放移動する。この際、開閉部材は閉鎖位置にあるため、換気通路は弁体によって閉鎖していた部分のみ開放される。従って、第二負圧よりも小さな負圧に基づく風量での換気を行うことができる。
さらに、一方の空間の圧力に対する他方の空間の圧力差がより大きくなり、他方の空間の負圧が第一負圧よりも大きな第二負圧以上になると、開閉部材が開放移動し、換気通路をさらに広く形成できる。
このように、開閉部材と弁体とを備えることで、他方の空間の負圧の大小に応じて換気通路を段階的に拡大開放できる。
加えて、開閉部材が閉鎖位置から開放位置まで斜め上方向にスライド移動（開放移動）されても、この開閉部材の姿勢は維持されるため、例えば他方の空間に向かって換気通路を流れる空気を下方に案内することも可能である。これにより、例えば他方の空間を形成する天井などに設けられた換気装置の作動に基づき、他方の空間の上部から下部にわたって効率的に換気できる。
【０００７】
本発明の建具は、枠体および障子を有して一方の空間と他方の空間とを仕切る建具であって、前記枠体または前記障子には、前記一方の空間から前記他方の空間に空気を供給可能な換気通路が設けられ、前記換気通路には、前記枠体または前記障子に支持された開閉部材と、前記開閉部材に支持された弁体とを備える開閉機構が設けられ、前記開閉部材と前記弁体とは、これら双方が前記換気通路の閉鎖位置にそれぞれ位置した際に前記換気通路を閉鎖可能に設けられ、前記弁体は、前記他方の空間が第一負圧以上になると開放移動する構成とされ、前記開閉部材は、開閉部材本体と、前記開閉部材本体の端部に取り付けられた側板とを備え、前記他方の空間が前記第一負圧よりも大きな第二負圧以上になると開放移動する構成とされ、前記側板は、前記開閉部材が前記換気通路の開放位置に位置した状態では、前記開閉部材本体の端部と前記枠体または前記障子との間に連続して位置することを特徴とする。
本発明によれば、他方の空間が第一負圧以上になることで、弁体によって換気通路を開放することに加え、他方の空間が第二負圧以上になることで、開閉部材によって換気通路をさらに拡大開放でき、換気通路を広く形成できる。
すなわち、開閉部材および弁体が換気通路を閉鎖した状態で、他方の空間に設けた換気扇などの換気装置を作動させると、一方の空間の圧力に対して他方の空間の圧力が低下して負圧となる。そして、この負圧（圧力差）が第一負圧以上になると、弁体が開放移動する。この際、開閉部材は閉鎖位置にあるため、換気通路は弁体によって閉鎖していた部分のみ開放される。従って、第二負圧よりも小さな負圧に基づく風量での換気を行うことができる。
さらに、一方の空間の圧力に対する他方の空間の圧力差がより大きくなり、他方の空間の負圧が第一負圧よりも大きな第二負圧以上になると、開閉部材が開放移動し、換気通路をさらに広く形成できる。
このように、開閉部材と弁体とを備えることで、他方の空間の負圧の大小に応じて換気通路を段階的に拡大開放できる。
加えて、負圧となった他方の空間に向かって換気通路を流れる空気が開閉部材本体の端部から側方に抜け出ることを側板によって防ぐことができ、所望の換気流を発生できる。
【０００８】
本発明の建具では、前記開閉部材は、自重によって閉鎖移動可能に設けられることが好ましい。
このような構成によれば、開閉部材が換気通路の開放位置にある場合、他方の空間の負圧が小さくなった際には開閉部材が自重によって閉鎖移動し、他方の空間が第二負圧よりも小さくなった際には開閉部材が閉鎖位置に復帰する。このように、他方の空間の負圧に応じて、開閉操作をすることなく、開閉部材を閉鎖移動できる。また、開閉部材を換気通路の閉鎖位置に付勢する復帰バネ等を設ける必要もなく、開閉機構の構成を簡略化でき、建具を安価にできる。
【００１０】
本発明の建具では、前記開閉部材は、前記枠体または前記障子に対し回動可能に支持され、この回動によって前記換気通路を開閉可能に構成されることが好ましい。
このような構成によれば、例えば前述したように、開閉部材がスライド移動可能に構成された建具に比べ、開閉部材を回動可能に支持するだけであるので、開閉部材をガイドするガイド溝などを設ける必要がない。このため、開閉機構を支持する枠体または障子の見込み方向幅寸法を小さくでき、スリム化を図れる。
【発明の効果】
【００１２】
本発明によれば、換気通路を広く形成できるうえ、小さな負圧に基づく風量で換気できる建具を提供できる。
【図面の簡単な説明】
【００１３】
【図１】本発明の第１実施形態に係る建具である浴室ドアの浴室側を示す正面図。
【図２】第１実施形態に係る浴室ドアを示す縦断面図。
【図３】第１実施形態に係る浴室ドアを示す平面図。
【図４】第１実施形態に係る浴室ドアの換気通路の開放状態を示す縦断面図。
【図５】第１実施形態に係る浴室ドアの要部を示す斜視図。
【図６】第１実施形態に係る浴室ドアの要部を示す分解斜視図。
【図７】第１実施形態に係る浴室ドアのガイド片部を示す模式図。
【図８】本発明の第２実施形態に係る建具である浴室ドアを示す縦断面図。
【図９】第２実施形態に係る浴室ドアを示す平面図。
【図１０】第２実施形態に係る浴室ドアの換気通路の開放状態を示す縦断面図。
【図１１】第２実施形態に係る浴室ドアの要部を示す斜視図。
【図１２】第２実施形態に係る浴室ドアの要部を示す分解斜視図。
【発明を実施するための形態】
【００１４】
［第１実施形態の構成］
以下、本発明の第１実施形態を図面に基づいて説明する。
図１〜６において、第１実施形態に係る建具である浴室ドア１は、一方の空間である脱衣室と他方の空間である浴室とを仕切る浴室出入り口に設けられる。
ドア１は、枠体１０（建具枠）と、枠体１０に支持されて浴室側に開閉可能に設けられる障子２０とを備えて構成されている。枠体１０は、上枠１１、下枠１２および左右の縦枠１３を枠組みして構成されている。障子２０は、上框２１、下框２２および左右の縦框２３並びに樹脂パネル２４を框組みして構成されている。吊元側の縦框２３Ａの両端は、上枠１１、下枠１２に回動可能に軸支されている。戸先側の縦框２３Ｂの浴室側側面および脱衣室側側面には、取手２５がそれぞれ設けられている。
【００１５】
枠体１０の上枠１１、下枠１２、左右の縦枠１３には、それぞれ気密材１４が設けられ、障子２０を閉じた状態において、各気密材１４が上框２１、下框２２および左右の縦框２３の脱衣室側側面に当接することで、脱衣室と浴室とが気密かつ水密に仕切られるようになっている。
【００１６】
上枠１１は、その見付け方向外側（上側）に位置する外側枠材１５と、その見付け方向内側（下側）に位置する内側枠材１６とを備えている。
【００１７】
外側枠材１５は、外枠見付け片部１５１と、外枠傾斜片部１５２と、外枠見込み片部１５３とを有して構成されている。外枠見付け片部１５１の下端部は外枠傾斜片部１５２の浴室側端部に連続し、外枠傾斜片部１５２の脱衣室側端部は、外枠見込み片部１５３の浴室側端部に連続している。外枠見付け片部１５１と外枠傾斜片部１５２との連続部分は窪んで形成されている。外枠傾斜片部１５２は、その浴室側端部が脱衣室側端部よりも上方に位置するように斜めに傾斜して形成されている。外枠見込み片部１５３の浴室側部分は、脱衣室側から浴室側に向かうにつれて下方に傾斜している。
【００１８】
内側枠材１６は、内枠見付け片部１６１と、一対の内枠見込み片部１６２，１６３と、補強用の内枠連結片部１６４とを有して構成されている。内枠見付け片部１６１の浴室側側面は、内側枠材１６の見付け方向で互いに対向して位置する内枠見込み片部１６２，１６３の脱衣室側端部に連続している。内枠連結片部１６４は、内枠見付け片部１６１よりも浴室側に位置し、内枠見込み片部１６２，１６３の対向面に連続している。内枠見付け片部１６１の下端部には、前述した気密材１４が装着されている。内枠見込み片部１６２に対し見付け方向内側に位置する内枠見込み片部１６３には、障子２０の吊元側の縦框２３Ａの上端を支持するヒンジ装置１６５が取り付けられている。
【００１９】
以上の上枠１１において、外側枠材１５と内側枠材１６との間には、脱衣室側と浴室側とを連通する換気通路Ｓが設けられている。換気通路Ｓ（後述する小換気通路Ｓ１、大換気通路Ｓ２を含む）については、図２，４に示す矢印によって模式的にあらわす。換気通路Ｓは、外側枠材１５の外枠見込み片部１５３および外枠傾斜片部１５２の下面と、内側枠材１６の内枠見込み片部１６２の上面と、左右の縦枠１３の見付け方向内側の側面とによって形成されている。このように形成された換気通路Ｓには、浴室側で生じる負圧に基づいて当該換気通路Ｓを段階的に開閉可能な開閉機構３０が設けられている。
【００２０】
開閉機構３０は、図２，４〜６に示すように、外側枠材１５に支持された開閉部材３１と、開閉部材３１に支持された弁体３４と、開閉部材３１の両端を斜め方向（スライド方向）へガイドする左右一対のガイド部材３５とを備えて構成されている。
【００２１】
開閉部材３１は、開閉部材本体３２と、開閉部材本体３２の両端に取り付けられた左右一対の側板３３とを備えて構成されている。
開閉部材本体３２は、羽根片部３２１と、傾斜片部３２２と、開閉片部３２３と、連結片部３２４とを有して構成されている。羽根片部３２１の上部は、傾斜片部３２２の浴室側端部に連続し、傾斜片部３２２の脱衣室側端部は、開閉片部３２３の上端に連続し、開閉片部３２３の下端は、連結片部３２４の脱衣室側端部に連続し、連結片部３２４の浴室側端部は、羽根片部３２１に連続している。
【００２２】
羽根片部３２１および開閉片部３２３は、開閉部材本体３２の見付け方向（上下方向）に延びて形成されている。傾斜片部３２２は、その浴室側端部が脱衣室側端部よりも上方に位置するように外枠傾斜片部１５２に沿って斜めに傾斜して形成され、当該外枠傾斜片部１５２に対して離間して位置している。連結片部３２４は、開閉部材本体３２の見込み方向に延びて形成されている。
【００２３】
羽根片部３２１は、外枠見付け片部１５１の下端部の高さ位置から内枠見込み片部１６３の浴室側端部の高さ位置まで開閉部材本体３２の見付け方向に延びて形成されている。
図２，５（Ａ）に示す閉鎖状態では、羽根片部３２１は、外枠見付け片部１５１に沿って位置し、羽根片部３２１の上端は、外枠見付け片部１５１と外枠傾斜片部１５２との連続部分（窪んで形成された連続部分）に位置している。この羽根片部３２１によって上枠１１の浴室側の見付け片部の一部が構成されている。
また、図４，５（Ｂ）に示す開放状態では、羽根片部３２１の下端は、内枠見込み片部１６２の浴室側端部よりも低い位置に配置され、浴室側に向かって換気通路Ｓを流れる空気を下方に案内可能となる。
【００２４】
開閉片部３２３の上端は、外枠傾斜片部１５２の下側の面に摺接している。開閉部材３１の開閉移動においては、外枠傾斜片部１５２に対して、開閉片部３２３の上端が摺動するだけであって傾斜片部３２２などの他の部分で摺動しないため、外枠傾斜片部１５２に対する接触領域が小さくされて摺動抵抗が低減されている。
開閉片部３２３は、上下方向において換気通路Ｓの開口の略半分の長さ寸法を有して形成され、図２，５（Ａ）に示す閉鎖状態では、換気通路Ｓの開口の上側を閉鎖して位置する。開閉片部３２３の下端には、断面略半円筒状で下方に開口した支持溝３２３Ａが形成され、この支持溝３２３Ａには、弁体３４が回動可能に支持されている。
【００２５】
一対の側板３３は、図６に示すように互いに左右反転させて形成されている。側板３３は、板状本体部３３１と、板状本体部３３１のガイド部材３５側の面に形成されたガイド片部３３２と、板状本体部３３１の開閉部材本体３２側の面に形成された差込み片部３３３と、板状本体部３３１の浴室側縁部から開閉部材本体３２側に折曲された覆部３３６とを有して構成されている。
【００２６】
板状本体部３３１の上縁は、傾斜片部３２２に沿って傾斜している。板状本体部３３１の上部側は、開閉部材本体３２よりも脱衣室側に延出して形成されている。板状本体部３３１の下部側は、図４，５（Ｂ）に示す開放状態においてガイド部材３５から離間しない程度の見込み方向幅寸法を有して形成されている。つまり、板状本体部３３１は、開閉部材３１が開放位置に位置した状態では、開閉部材本体３２の端部とガイド部材３５（縦枠１３側）との間に連続して位置する構成とされている。
【００２７】
ガイド片部３３２は、後述するガイド溝３５２に沿って延びて形成され、板状本体部３３１の上部側であって開閉部材本体３２よりも脱衣室側に延出した延出部分に設けられている。
ガイド片部３３２は、本実施形態では、図７（Ａ）に示すように下向きの略コ字状に形成されているが、これに限定されない。ガイド片部３３２は、例えば図７（Ｂ）に示すように、略Ｉ字状に形成されていてもよく、また、図７（Ｂ）に示すように二つの突起３３４，３３５によって構成されていてもよい。
【００２８】
差込み片部３３３は、板状本体部３３１の上部側であってガイド片部３３２よりも浴室側に設けられている。差込み片部３３３は、羽根片部３２１、傾斜片部３２２、開閉片部３２３および連結片部３２４によって形成された開閉部材本体３２の中空部に差し込み可能に構成されている。
【００２９】
覆部３３６は、差込み片部３３３が開閉部材本体３２に差し込まれた状態で、開閉部材本体３２の端部を浴室側から覆って位置している。これにより、開閉部材本体３２の端部の浴室側のエッジが露出しない安全面に優れた構成にできる。また、覆部３３６により開閉部材本体３２と側板３３との間からの光漏れを防止できる。
【００３０】
このような開閉部材３１は、図２，５（Ａ）に示す閉鎖状態において内側枠材１６との間に小換気通路Ｓ１を形成する。また、開閉部材３１は、図４，５（Ｂ）に示す開放状態において内側枠材１６との間に大換気通路Ｓ２を形成する。小換気通路Ｓ１は、大換気通路Ｓ２よりも開口高さ寸法並びに見込み寸法が小さく開口面積が狭く形成される。大換気通路Ｓ２は、換気通路Ｓを全開状態とした場合の開口高さ寸法並びに見込み寸法と開口面積とを有して形成される。
【００３１】
弁体３４は、合成樹脂製の成形品で構成されている。この合成樹脂の材料は熱可塑性エラストマー等、適宜選択できるが、例えば、ＴＰＯ（サーモポリオレフィン）、ＥＰＤＭ（エチレンプロピレンジエン三元共重合体）、ＰＶＣ（ポリ塩化ビニル）などが利用できる。
弁体３４は、本体部分が板状に形成され、その上端に膨大に形成された被支持部３４１が設けられている。弁体３４の下端には、モヘヤ３４２が設けられている。弁体３４は、上下方向において換気通路Ｓを全開状態とした場合における開口の略半分の長さ寸法を有して形成される。この弁体３４は、被支持部３４１を中心として回動することによって換気通路Ｓの開口の下側部分を開閉可能である。
【００３２】
一対のガイド部材３５は、図６に示すように左右反転させて形成されている。ガイド部材３５は、縦枠１３に沿って配置されたガイド本体部３５１と、ガイド本体部３５１の開閉部材３１側の面に形成されたガイド溝３５２と、ガイド本体部３５１の上部に形成された係合片部３５３と、ガイド本体部３５１の下部に形成された二つの係合片部３５４とを有して構成されている。
係合片部３５３は外側枠材１５に係合し、係合片部３５４は内側枠材１６に係合している。このため、ガイド本体部３５１は、外側枠材１５と内側枠材１６とを連結する。
ガイド溝３５２は、開閉部材３１を図２，５（Ａ）に示す閉鎖位置から図４，５（Ｂ）に示す開放位置まで案内可能に構成されている。ガイド溝３５２は、脱衣室側から浴室側に向かうにつれて上方に傾斜して直線状に形成されている。ガイド溝３５２には、側板３３のガイド片部３３２が斜め方向に摺動可能に設置されている。
【００３３】
［第１実施形態の動作］
以下、第１実施形態に係るドア１の換気動作について説明する。
換気通路Ｓの開放動作は次の通りである。図１に示すように障子２０が閉鎖位置にある場合において、浴室天井などに設置された換気扇（図示省略）が作動すると、浴室内部が負圧となって脱衣室との間に気圧差（圧力差）が生じる。
換気扇の作動により、浴室内部が小さな第一負圧以上となると、弁体３４が負圧を受けて図２に実線で示す閉鎖位置から図２に二点鎖線で示す開放位置に向かって回動（開放移動）し、小換気通路Ｓ１を開放する。このため、換気扇の作動が弱くても脱衣室側の空気を浴室側に取り込んで換気を行える。
続いて、浴室内部の負圧が大きくなると、弁体３４がさらに開放移動する。そして、浴室内部の負圧がさらに大きな第一最大負圧以上になると、弁体３４はさらに開放移動して開放位置に達する。
【００３４】
換気扇の作動により、浴室内部が第一負圧よりも大きく第一最大負圧よりも小さい第二負圧以上になると、開閉部材３１が図２，５（Ａ）に示す閉鎖位置から図４，５（Ｂ）に示す開放位置に向かってガイド溝３５２に沿って斜め上方向に開放移動する。
続いて、浴室内部の負圧が大きくなると、開閉部材３１がさらに開放移動する。そして、浴室内部の負圧がさらに大きな第二最大負圧以上になると、開閉部材３１はさらに開放移動して開放位置に達する。
この開放移動により、開閉部材３１と内側枠材１６との間が広がり、開口面積の広い大換気通路Ｓ２を形成するので、大容量の換気を行える。
この際、開閉部材３１の羽根片部３２１は、開閉部材３１の見付け方向に延びた姿勢を維持し、かつ羽根片部３２１の下端部が内枠見込み片部１６２の浴室側端部よりも低い位置にあるので、大換気通路Ｓ２から浴室側に流れる空気は、浴室側の下方に向けられる。
また、開閉部材３１が開放位置にある場合、側板３３は、ガイド部材３５から離間しない程度の見込み方向幅寸法を有して形成されている。つまり、離間せずに連結する状態であるので、大換気通路Ｓ２を流れる空気が開閉部材本体３２の両端側から抜け出ることがない。
このようにして、開閉部材３１および弁体３４により換気通路Ｓを段階的に拡大開放する。
【００３５】
換気通路Ｓの閉鎖動作は次の通りである。前述したように換気通路Ｓが最大開放された状態において、換気扇の作動を弱めると、浴室内部の負圧は小さくなって脱衣室との気圧差も小さくなる。浴室内部の負圧が第二最大負圧よりも小さくなると、開閉部材３１は、その自重に基づき、ガイド溝３５２に沿って開放位置から閉鎖位置に向かって斜め下方向に閉鎖移動し、浴室内部の負圧が第二負圧よりも小さくなると閉鎖位置に達し、換気通路Ｓの全開状態における開口の上側部分を閉鎖する。
また、浴室内部の負圧が第一最大負圧よりも小さくなると、弁体３４は、その自重に基づいて開放位置から閉鎖位置に向かって垂れ下がるように回動（閉鎖移動）し、浴室内部の負圧が第一負圧よりも小さくなると閉鎖位置に達し、モヘヤ３４２が内枠見込み片部１６２の浴室側端部に当接して換気通路Ｓの全開状態における開口の下側部分を閉鎖する。
このようにして、開閉部材３１および弁体３４により換気通路Ｓを閉鎖し、水密性を確保し、湯気漏れを防止する。
【００３６】
［第１実施形態の効果］
（１）浴室内部が第一負圧以上になることで、弁体３４によって換気通路Ｓを開放することに加え、浴室内部が第二負圧以上になることで、開閉部材３１によって換気通路Ｓを拡大開放でき、弁体３４のみによって開放可能な開口面積を有した小換気通路Ｓ１に制限されることなく、広い開口面積（例えば、実測有効換気面積１００ｃｍ２以上の開口面積）を有した大換気通路Ｓ２を形成できる。
また、浴室内部の負圧が第二負圧よりも小さいと開閉部材３１は開放移動しないが、浴室内部の負圧が第一負圧以上なっていれば、弁体３４は開放移動する。このため、換気通路Ｓを部分的に開放して小換気通路Ｓ１を形成でき、第二負圧よりも小さな負圧に基づく風量での換気を行うことができる。
このように、ドア１では、浴室内部の負圧の大小に応じて換気通路Ｓを段階的に拡大開放できる。
（２）開閉部材３１が開放位置にある場合、浴室内部の負圧が第二最大負圧よりも小さくなった際には開閉部材３１が自重によって閉鎖移動し、浴室内部が第二負圧よりも小さくなった際には開閉部材３１が閉鎖位置に復帰する。このように、浴室内部の負圧に応じて、開閉操作をすることなく、開閉部材３１を閉鎖移動できる。また、開閉部材３１を閉鎖位置に付勢する復帰バネ等を設ける必要もなく、開閉機構３０の構成を簡略化でき、ドア１を安価にできる。
（３）開閉部材３１がガイド溝３５２に案内されながら閉鎖位置から開放位置まで斜め上方向に開放移動されても、開閉部材３１の羽根片部３２１は回動等することなく姿勢が維持されるため、例えば浴室天井などに設けられた換気扇などの換気装置の作動に基づき、浴室内部に向かって換気通路Ｓを流れる空気を下方に案内することができ、浴室内部の上部から下部にわたって効率的に換気できる。
（４）開閉部材本体３２の両端に側板３３が設けられているので、換気通路Ｓを流れる空気が開閉部材本体３２の両端から側方に抜け出ることを防止でき、所望の換気流を発生できる。
【００３７】
［第２実施形態の構成］
以下、本発明の第２実施形態を図面に基づいて説明する。
図８〜１２において、第２実施形態に係る建具である浴室ドア１Ａは、開閉機構３０の構成を除き、前述したドア１と同様に構成されているので、図に適宜同符号を付して詳細な説明を省略する。
【００３８】
ドア１Ａは、浴室側で生じる負圧に基づいて換気通路Ｓを段階的に開閉可能な開閉機構３０Ａを備えている。
開閉機構３０Ａは、図８，１０〜１２に示すように、開閉部材３１Ａと、開閉部材３１Ａに支持された弁体３４Ａと、一対の支持部材３５Ａとを備えて構成されている。
【００３９】
開閉部材３１Ａは、開閉部材本体３２Ａと、一対の側板３３Ａとを備えて構成されている。開閉部材本体３２Ａは、その上端部が筒状に湾曲形成されて支持部材３５Ａに回動可能に支持されている点を除き、ドア１の開閉部材本体３２と同様に構成されている。
一対の側板３３Ａは、図１２に示すように左右反転させて形成されている。側板３３Ａは、板状本体部３３１Ａと、板状本体部３３１Ａの開閉部材本体３２Ａ側の面に形成された差込み片部３３３Ａと、板状本体部３３１Ａの浴室側縁部から開閉部材本体３２Ａ側に折曲された覆部３３６Ａとを有して構成されている。
板状本体部３３１Ａは、三角形状に形成されている。板状本体部３３１Ａの上縁は、傾斜片部３２２に沿って傾斜している。板状本体部３３１Ａの上部側は、開閉部材本体３２Ａよりも脱衣室側に延出して形成されている。このように形成された板状本体部３３１Ａは、図１０，１１（Ｂ）に示す開放状態において、支持部材３５Ａから離間しない程度の広さを有して形成されている。つまり、板状本体部３３１Ａは、開閉部材３１Ａが開放位置に位置した状態では、開閉部材本体３２Ａの両端と支持部材３５Ａ（縦枠１３側）との間に連続して位置する。
差込み片部３３３Ａは、ドア１の側板３３の差込み片部３３３と同様に構成されている。
【００４０】
弁体３４Ａは、ドア１の弁体３４と同様に構成されている。一対の支持部材３５Ａは、ガイド溝３５２に代えて上部に軸ピン３５５を有している点を除き、ドア１の一対のガイド部材３５と同様に構成されている。軸ピン３５５は開閉部材本体３２Ａの上端部を回動可能に支持している。
【００４１】
［第２実施形態の動作］
以下、第２実施形態に係るドア１の換気動作について説明する。
換気通路Ｓの開放動作は次の通りである。障子２０が閉鎖位置にある場合において、換気扇（図示省略）が作動すると、浴室内部が負圧となって脱衣室との間に気圧差が生じる。
換気扇の作動により、浴室内部が第一負圧になると、弁体３４Ａが前述したドア１の弁体３４と同様に開放動作して、小換気通路Ｓ１を開放する。
続いて、浴室内部の負圧が大きくなると、弁体３４Ａがさらに開放移動する。そして、浴室内部の負圧がさらに大きな第一最大負圧以上になると、弁体３４Ａはさらに開放移動して開放位置に達する。
【００４２】
換気扇の作動により、浴室内部が第二負圧以上になると、開閉部材３１Ａが図８，１１（Ａ）に示す閉鎖位置から図１０，１１（Ｂ）に示す開放位置に向かって軸ピン３５５を中心として回動（開放移動）する。
続いて、浴室内部の負圧が大きくなると、開閉部材３１Ａがさらに開放移動する。そして、浴室内部の負圧がさらに大きな第二最大負圧以上になると、開閉部材３１Ａはさらに開放移動して開放位置に達する。
この開放移動により、開閉部材３１Ａと内側枠材１６との間が広がり、開口面積の広い大換気通路Ｓ２を形成し、大容量の換気を可能にする。
また、開閉部材３１Ａが開放位置にある場合、側板３３Ａは、支持部材３５Ａから離間しない程度の見込み方向幅寸法を有して形成されている。つまり、離間せずに連続する状態であるので、大換気通路Ｓ２を流れる空気が開閉部材本体３２Ａの両端側から抜け出ることがない。
このようにして、開閉部材３１Ａおよび弁体３４Ａにより換気通路Ｓを段階的に拡大開放する。
【００４３】
換気通路Ｓの閉鎖動作は次の通りである。前述したように換気通路Ｓが最大開放された状態において、換気扇の作動を弱めると、浴室内部の負圧は小さくなって脱衣室との気圧差も小さくなる。浴室内部の負圧が第二最大負圧よりも小さくなると、開閉部材３１Ａは、その自重に基づき、軸ピン３５５を中心として開放位置から閉鎖位置に向かって垂れ下がるように回動（閉鎖移動）し、浴室内部の負圧が第二負圧よりも小さくなると閉鎖位置に達した際に換気通路Ｓの全開状態における開口の上側部分を閉鎖する。
また、浴室内部の負圧が第一最大負圧よりも小さくなると、弁体３４Ａは、前述したドア１の弁体３４と同様に閉鎖動作して、浴室内部の負圧が第一負圧よりも小さくなると換気通路Ｓの全開状態における開口の下側部分を閉鎖する。
このようにして、開閉部材３１Ａおよび弁体３４Ａにより換気通路Ｓを閉鎖し、水密性を確保し、湯気漏れを防止する。
【００４４】
［第２実施形態の効果］
（１）第１実施形態のドア１と同様に、浴室内部における負圧の大小に応じて開口面積を段階的に拡大できる。つまり、浴室内部の負圧が第一負圧以上になると弁体３４Ａが開放移動して小換気通路Ｓ１を形成でき、第二負圧よりも小さな負圧に基づく風量でも換気でき、さらに、浴室内部の負圧が第一負圧よりも大きな第二負圧以上になると、開閉部材３１Ａが回動（開放移動）して大換気通路Ｓ２を形成でき、大容量の換気を行うことができる。
また、第１実施形態のドア１と同様に、開閉部材３１Ａが自重によって開放位置から閉鎖位置に復帰するため、開閉操作の必要がなく、開閉部材３１Ａを閉鎖位置に付勢する復帰バネ等を設ける必要がなく、開閉機構３０Ａの構成を簡略化でき、ドア１Ａを安価にできる。
さらに、第１実施形態のドア１と同様に、負圧となった浴室内部に向かって換気通路Ｓを流れる空気が開閉部材本体３２Ａの両端から側方に抜け出ることを側板３３Ａによって防ぐことができ、所望の換気流を発生できる。
（２）開閉部材３１Ａを回動可能に支持するだけであるので、前述したドア１のガイド溝３５２を形成する必要がなく、開閉機構３０を支持する上枠１１の見込み方向幅寸法を小さくできる。
【００４５】
［変形例］
なお、本発明は以上の実施形態で説明した構成のものに限定されず、本発明の目的を達成できる範囲での変形例は、本発明に含まれる。
例えば、前記実施形態では、浴室出入り口用の建具としてのドア１を例示して説明したが、浴室出入り口用の建具に限らず、建物の窓や出入り口に用いられるものでもよく、建物内部の部屋同士や部屋と廊下とを仕切るものであってもよい。
また、前記実施形態では、浴室側に開閉可能な障子２０を有したドア１について説明したが、これに限らず、スライド開閉可能に設けられた１枚の障子を有した片引き形式の引き戸でもよく、また２枚以上の障子が開閉自在に支持された二枚建てや三枚建ての引き戸でもよいし、一対の障子が屈伸可能に設けられた折戸であってもよい。
【００４６】
前記実施形態では、換気通路Ｓを上枠１１に形成したが、これに限らず、障子２０の上框２１や下框２２に換気通路が設けられていてもよい。例えば、中桟を有する障子であれば、中桟に換気通路が設けられていてもよい。また、換気通路は、建具において左右方向に長ければ、上下方向における任意の位置に設けられていればよい。
【００４７】
前記実施形態では、ガイド溝３５２は、直線状に形成されているが、これに限定されず、例えば、開閉部材３１の開放位置から閉鎖位置に向かうにつれて水平線に対する傾斜角度が徐々に小さくなるように湾曲して形成されていてもよい。
このようにガイド溝３５２が湾曲形成されている場合には、浴室内部が比較的小さな負圧となった際に開閉部材３１の開放移動を自動的に円滑に開始できる。
【００４８】
また、ガイド溝３５２は、開閉部材３１の開放位置側が閉鎖位置側よりも水平線に対する傾斜角度が大きく形成されていてもよい。このようなガイド溝３５２によれば、仮にガイド溝３５２が、開閉部材３１の施工やメンテナンスが容易となるように浴室側に開口して形成されていても、開閉部材３１の自重を利用して開閉部材３１の脱落を防止できる。
【００４９】
前記実施形態では、開閉部材３１は、ガイド溝３５２に沿って延びて形成されたガイド片部３３２を備えているが、これに限定されず、開閉部材３１をガイド溝３５２に沿って案内可能に構成されたガイド部を備えていればよい。例えば、互いに離間した二つのガイドピンによって形成されたガイド部を備えていてもよい。
【００５０】
前記実施形態では、ドア１，１Ａにおいて、開閉部材３１，３１Ａ、弁体３４，３４Ａが自重により閉鎖位置に閉鎖移動可能に設けられているが、これに限定されず、例えば、それぞれの自重ではなく、復帰バネなどの付勢部材による開放位置から閉鎖位置に向かう付勢力に基づいて閉鎖移動可能に設けられていてもよい。この場合、ドア１においてガイド溝３５２は、前述したように傾斜せずに水平方向に延びて形成されていてもよい。
【００５１】
前記実施形態では、ドア１，１Ａにおいて、開閉部材３１，３１Ａは、一対の側板３３，３３Ａをそれぞれ備えて構成されているが、この一対の側板３３，３３Ａが省略されて構成されていてもよい。この場合、ドア１において、開閉部材本体３２の両端にはガイド片部３３２が設けられる。
【００５２】
前記実施形態では、羽根片部３２１は、外枠見付け片部１５１の下端部の高さ位置から内枠見込み片部１６３の浴室側端部の高さ位置まで開閉部材本体３２の見付け方向に延びて形成されているが、これに限定されず、羽根片部３２１の上端、下端は、外枠見付け片部１５１の下端部の高さ位置および内枠見込み片部１６３の浴室側端部の高さ位置と同じでなくてもよい。例えば、羽根片部３２１は、開閉部材３１が閉鎖位置にある状態で、外枠見付け片部１５１の下端部よりも低い位置から内枠見込み片部１６３の浴室側端部よりも高い位置まで開閉部材本体３２の見付け方向に延びて形成されていてもよい。
【００５３】
前記実施形態では、ガイド片部３３２が側板３３に設けられ、ガイド溝３５２がガイド部材３５に設けられているが、これに限定されない。例えば、ガイド溝３５２が側板３３に設けられ、このガイド溝３５２に挿入されて摺動するガイド片部３３２がガイド部材３５に設けられていてもよい。
【００５４】
前記実施形態では、板状本体部３３１Ａは、三角形状に形成されているが、これに限定されず、開閉部材３１Ａの回動時に内側枠材１６と干渉しない形状であればよい。例えば、四角形状等の多角形状であってもよく、円形状であってもよい。
【００５５】
前記実施形態では、支持部材３５Ａに軸ピン３５５を設け、開閉部材本体３２Ａの上部に軸ピン３５５を回動可能に支持する部分（軸支持部）が設けられているが、これに限定されない。例えば、前記軸支持部を側板３３Ａに設けてもよく、また、支持部材３５Ａに前記軸支持部を設け、開閉部材本体３２Ａまたは側板３３Ａに軸ピン３５５を設けてもよい。
【００５６】
前記実施形態では、第二負圧は、第一負圧よりも大きく第一最大負圧よりも小さい負圧とされているが、これに限定されず、例えば、第一最大負圧と同じ負圧であってもよく、また、第一最大負圧よりも大きな負圧であってもよい。
【符号の説明】
【００５７】
１，１Ａ…浴室ドア、１０…枠体、１１…上枠、１２…下枠、１３…縦枠、１４…気密材、１５…外側枠材、１６…内側枠材、２０…障子、２１…上框、２２…下框、２３，２３Ａ，２３Ｂ…縦框、２４…樹脂パネル、２５…取手、３０，３０Ａ…開閉機構、３１，３１Ａ…開閉部材、３２，３２Ａ…開閉部材本体、３３，３３Ａ…側板、３４，３４Ａ…弁体、３５…ガイド部材、３５Ａ…支持部材、１５１…外枠見付け片部、１５２…外枠傾斜片部、１５３…外枠見込み片部、１６１…内枠見付け片部、１６２，１６３…内枠見込み片部、１６４…内枠連結片部、１６５…ヒンジ装置、３２１…羽根片部、３２２…傾斜片部、３２３…開閉片部、３２３Ａ…支持溝、３２４…連結片部、３３１，３３１Ａ…板状本体部、３３２…ガイド片部、３３３，３３３Ａ…差込み片部、３３４，３３５…突起、３３６，３３６Ａ…覆部、３４１…被支持部、３４２…モヘヤ、３５１…ガイド本体部、３５２…ガイド溝、３５３，３５４…係合片部、３５５…軸ピン、Ｓ…換気通路、Ｓ１…小換気通路、Ｓ２…大換気通路。
【図１】
0006375182.tif 000002
【図２】
0006375182.tif 000003
【図３】
0006375182.tif 000004
【図４】
0006375182.tif 000005
【図５】
0006375182.tif 000006
【図６】
0006375182.tif 000007
【図７】
0006375182.tif 000008
【図８】
0006375182.tif 000009
【図９】
0006375182.tif 000010
【図１０】
0006375182.tif 000011
【図１１】
0006375182.tif 000012
【図１２】
0006375182.tif 000013